(57)【特許請求の範囲】
【請求項１】
一端から他端の間に複数の作業員が並列して作業可能な作業台と、前記作業台の下方に設けられ、前記作業台の裏面に搬送面を対向させると共に、搬送方向が前記作業台の前記他端から前記一端に向かうように構成されるコンベアとを備え、前記コンベアは、搬送方向の上流端において前記作業台の前記他端よりも外側に突出する、作業員によって作業が行われた後の作業完了品が載置される突出部を有することを特徴とする作業台装置。
【請求項２】
前記コンベアの搬送方向の下流端が、前記作業台の前記一端の近傍になるように構成されることを特徴とする請求項１記載の作業台装置。
【請求項３】
前記コンベアの搬送面にエアを吹き付けるエア吹付手段を備えることを特徴とする請求項１または２記載の作業台装置。
【発明の詳細な説明】
【技術分野】
【０００１】
この発明は作業台装置に関し、より具体的には製品や部品等に、塗装、マーキングまたは接着等を行うための作業台装置に関する。
【背景技術】
【０００２】
部品組付け用の作業台装置としては、例えば下記の特許文献１に記載された技術を挙げることができる。特許文献１記載の技術はコンベアを備えた作業台装置に関するものであり、作業員は部品等の組付け時には被組付体と同速かつ同方向に移動するコンベア上で組付け作業を行うと共に、作業員の移動と同速で同方向に移動する部品移動台車から部品を受け取れるように構成される。
【０００３】
また、製品や部品等（以下「部品等」という）に塗装やマーキングまたは接着等（以下「塗装」という）を行う作業台装置として、例えば図６に示すような構成のものが考えられる。
【０００４】
図示の作業台装置３０は、部品等３６の塗装を行う作業台３２と、作業台３２の横方向に設置され、塗装された部品等３６を乾燥させるためのコンベア３４を有する。また、作業台３２の近傍には塗装前の部品等３６を収容するための塗装前部品収容箱４０が設置されると共に、コンベア３４の近傍には塗装が完了し、乾燥した部品等３６を収容するための完成品収容箱４４が設置される。
【０００５】
図中矢印Ａで示すように、塗装される前の部品等３６は作業員Ｐによって塗装前部品収容箱４０から取り出され、作業台３２で塗装された後にコンベア３４に載せられる。コンベア３４に載せられた部品等３６は搬送面３４ａを矢印Ｃに沿って移動している間に乾燥し、乾燥し終わった頃にコンベア３４から完成品収容箱４４に送られる。
【先行技術文献】
【特許文献】
【０００６】
【特許文献１】特開平８−４７８１８号公報
【発明の概要】
【発明が解決しようとする課題】
【０００７】
しかしながら、特許文献１記載の作業台装置はコンベアを備えるものの、このコンベアは必ずしも塗装された部品等を乾燥させるものではない。
【０００８】
一方、図６に示した作業台装置３０は塗装された部品等３６をコンベア３４上で乾燥させるものであるが、コンベア３４が作業台３２の横方向に設置されることから、当該横方向に大きなスペースを必要とする不都合がある。また、コンベア３４で搬送された部品等３６が、作業員Ｐから見てコンベア３４の先の遠方にある完成品収容箱４４に収容されるため、作業員Ｐは完成品収容箱４４に収容された部品等３６を取りに行くためにコンベア３４の長さ以上の距離を移動しなければならず、作業効率の点で必ずしも十分ではなかった。
【０００９】
この発明の目的は上記した課題を解決し、省スペースでの作業を可能にすると共に、作業員の移動距離を低減して作業効率を向上させるようにした作業台装置を提供することにある。
【課題を解決するための手段】
【００１０】
上記した課題を解決するために、請求項１に係る作業台装置にあっては、一端から他端の間に複数の作業員が並列して作業可能な作業台と、前記作業台の下方に設けられ、前記作業台の裏面に搬送面を対向させると共に、搬送方向が前記作業台の前記他端から前記一端に向かうように構成されるコンベアとを備え、前記コンベアは、搬送方向の上流端において前記作業台の前記他端よりも外側に突出する、作業員によって作業が行われた後の作業完了品が載置される突出部を有する如く構成した。
【００１２】
請求項２に係る作業台装置にあっては、前記コンベアの搬送方向の下流端が、前記作業台の前記一端の近傍になるように構成される如く構成した。
【００１３】
請求項３に係る作業台装置にあっては、前記コンベアの搬送面にエアを吹き付けるエア吹付手段を備える如く構成した。
【発明の効果】
【００１４】
請求項１に係る作業台装置にあっては、一端から他端の間に複数の作業員が並列して作業可能な作業台と、作業台の下方に設けられ、作業台の裏面に搬送面を対向させると共に、搬送方向が作業台の他端から一端に向かうように構成されるコンベアとを備え、コンベアは、搬送方向の上流端において作業台の他端よりも外側に突出する、作業員によって作業が行われた後の作業完了品が載置される突出部を有する如く構成したので、コンベアが作業台の下方に設置されることとなり、よって横方向のスペースを減少させることができる。
【００１５】
また、コンベアで搬送されてきた部品等が、作業台の一端側、即ち、作業員の近くに戻るように構成されるので、乾燥後の部品等を取りに行くための作業員の移動距離を低減でき、作業効率を向上させることができる。
【００１６】
また、コンベアは、搬送方向の上流端において作業台の他端よりも外側に突出する、作業員によって作業が行われた後の作業完了品が載置される突出部を有する如く構成したので、上記した効果に加え、作業台に対してコンベアの突出した部分に塗装後の部品等を一時的に収容することができ、よって作業効率を一層向上させることができる。
【００１７】
請求項２に係る作業台装置にあっては、コンベアの搬送方向の下流端が作業台の一端の近傍になるように構成される如く構成したので、上記した効果に加え、コンベアで搬送されてきた部品等が作業員のより近くに戻るように構成されるので、乾燥後の部品等を取りに行くための作業員の移動距離を一層低減でき、作業効率を向上させることができる。
【００１８】
請求項３に係る作業台装置にあっては、コンベアの搬送面にエアを吹き付けるエア吹付手段を備える如く構成したので、上記した効果に加え、塗装した部品等をより早く乾燥させることで作業効率を向上させることができると共に、コンベアの全長をさらに短くすることも可能なため、一層省スペース化を図ることができる。
【図面の簡単な説明】
【００１９】
【図１】この発明の第１実施例に係る作業台装置の上面図である。
【図２】図１に示す作業台装置の斜視図である。
【図３】図１に示す作業台、コンベアおよび完成品収容箱の位置関係を示す説明図である。
【図４】この発明の第２実施例に係る作業台装置の正面図である。
【図５】図１などに示す作業台、コンベアおよび完成品収容箱の位置関係の変形例を示す説明図である。
【図６】従来の作業台装置の上面図である。
【発明を実施するための形態】
【００２０】
以下、添付図面に即してこの発明に係る作業台装置を実施するための形態について説明する。
【実施例１】
【００２１】
図１はこの発明の第１実施例に係る作業台装置の上面図、図２は作業台装置の斜視図、図３は作業台、コンベアおよび完成品収容箱の位置関係を示す説明図である。
【００２２】
図１および図２において符号１０は作業台装置を示す。作業台装置１０は部品等３６を塗装するための作業台１２と、塗装後の部品等３６を搬送し、乾燥させるためのコンベア１４を有する。作業台１２の一端１２ｂ近くには塗装前の部品等３６を収容するための塗装前部品収容箱２２と、乾燥後の部品等３６を収容するための完成品収容箱２４が設置される。
【００２３】
作業台１２は、図１に示す如く、作業台１２の一端１２ｂから他端１２ｃの間に作業員Ｐが並列して作業可能なように、長方形の板状部材として形成される。また、作業台１２の上面には部品等３６の塗装が行われる作業面１２ａが形成されると共に、作業台１２の裏面には複数の脚部（図示せず）が形成される。
【００２４】
コンベア１４は塗装が完了した部品等３６を完成品収容箱２４に搬送するためのものであるが、それだけでなく部品等３６を乾燥させる役割も有する。即ち、部品等３６がコンベア１４に搬送されている間に乾燥するように構成される。
【００２５】
コンベア１４は、図３に示す如く、ベルト１６と、ベルト１６が掛け回されるプーリ１８と、プーリ１８に接続されて、プーリ１８を回転駆動させるモータ（図示せず）を備える。
【００２６】
コンベア１４は、図２に示す如く、作業台１２の下方に設けられ、コンベア固定具２０により作業台１２に固定される。作業台１２の裏面１２ｄと搬送面１４ａとの間はコンベア固定具２０によって部品等３６が搬送されるに十分な間隔が空けられる。
【００２７】
コンベア１４は搬送面１４ａを作業台１２の裏面１２ｄに対向させ、搬送方向（図１の破線で示す矢印Ｂ）が作業台１２の他端１２ｃから一端１２ｂに向かうように構成される。即ち、コンベア１４の搬送方向が、作業員Ｐが作業を行う方向（図１の実線で示す矢印Ａ）とは反対方向になる。従って、コンベア１４に載せられた部品等３６は作業台１２の他端１２ｃ側から作業台１２の下側を通って一端１２ｂ側に戻ってくる。
【００２８】
図３に示す如く、コンベア１４の搬送方向Ｂの上流端１４ｃは作業台１２の他端１２ｃよりも外側に突出するように構成される。これは、塗装が完了した部品等３６をコンベア１４の搬送面１４ａに載せることができるようにするためである。従って、作業員Ｐはこの突出している部分（突出部）１４ｄに塗装が完了した部品等３６を一時的に収容することができる。
【００２９】
コンベア１４の搬送方向Ｂの下流端１４ｂは作業台１２の一端１２ｂの近傍になるように構成される。即ち、図示の如く、コンベア１４の搬送方向Ｂの下流端１４ｂが作業台１２の一端１２ｂとほぼ同じ位置となるように構成される。従って、コンベア１４で搬送されてきた部品等３６が作業員Ｐの近くに設置された完成品収容箱２４に収容されるため、完成品収容箱２４に収容された部品等３６を取りに行くための作業員Ｐの移動距離を低減でき、作業効率を向上させることができる。
【００３０】
図１の説明に戻ると、塗装前部品収容箱２２は塗装前の部品等を収容するための箱体であり、上部に部品等３６を取り出すための開口を有する。塗装前部品収容箱２２は図１に示す如く作業開始にあたって部品等がすばやく取り出せるように作業台１２の一端１２ｂ近傍に設置される。
【００３１】
完成品収容箱２４はコンベア１４によって搬送されてきた部品等３６を収容するための箱体であり、塗装前部品収容箱２２と同じく上部に開口を有する。完成品収容箱２４は図３に示す如くコンベア１４の下流端１４ｂの下方に設置され、コンベア１４で搬送されてきた部品等３６が収容される。
【００３２】
次いで、この実施例に係る作業台装置１０の動作について説明する。
【００３３】
作業員Ｐによって塗装前部品収容箱２２から取り出された部品等３６は作業台１２の作業面１２ａで塗装され、塗装が完了した後、コンベア１４、より具体的には作業台１２の他端１２ｃから突出しているコンベア１４の突出部１４ｄに載せられる。部品等３６は搬送面１４ａを搬送される間に乾燥し、その後コンベア１４から完成品収容箱２４に収容される。
【００３４】
以上のように、第１実施例にあっては、作業台１２で塗装された部品等３６がコンベア１４に載って作業台１２の下側を通る構成としたため、横方向のスペースを削減することができる。また、コンベア１４で搬送されてきた部品等３６が作業員Ｐの近くに戻ってくるので、完成品収容箱２４に収容された部品等３６を取りにいくための作業員Ｐの移動距離を低減することができ、作業効率を低減させることができる。
【実施例２】
【００３５】
図４はこの発明の第２実施例に係る作業台装置の正面図である。
【００３６】
第１実施例との相違点を中心に説明すると、第２実施例にあっては、エア吹付装置２６を設置するように構成した。エア吹付装置２６は複数のエアノズル２６ａを備えると共に、作業台１２の裏面１２ｄに設置され、コンベア１４によって搬送されてきた部品等３６にエアを吹き付け、乾燥を促進する。
【００３７】
第２実施例では上記の如く、コンベア１４によって搬送されてきた部品等３６にエアを吹き付ける構成としたため、塗装が完了した部品等３６をより早く乾燥させることができ、作業効率を向上させることができると共に、コンベア１４の全長をさらに短くすることも可能となるため、一層省スペース化を図ることができる。
【００３８】
尚、搬送面１４ａにエアを吹き付けるという目的を達成できるものであれば、エア吹付装置の形態や設置場所については図示の構成に限定されるものではない。また、第２実施例の残余の構成および効果は第１実施例と同一であるので説明を省略する。
【００３９】
次に、図５を参照して第１、第２実施例に係る作業台装置１２の変形例について説明する。
【００４０】
図５は作業台１２、コンベア１４および完成品収容箱２４の位置関係の変形例を示す説明図、より具体的には同図（ａ）はコンベア１４の搬送方向Ｂの下流端１４ｂが作業台１２の一端１２ｂよりも内側（図面右方向）に位置し、完成品収容箱２４が作業台１２の下側に設置される場合、同図（ｂ）はコンベア１４の搬送方向Ｂの下流端１４ｂが作業台１２の一端１２ｂよりも外側（図面左方向）に位置し、完成品収容箱２４は作業台１２の外側に設置される場合を示す説明図である。
【００４１】
即ち、第１実施例（図３）においてはコンベア１４の搬送方向Ｂの下流端１４ｂが作業台１２の一端１２ｂとほぼ同じ位置となるように構成したが、図５（ａ）および（ｂ）に示す如く、コンベア１４の搬送方向Ｂの下流端１４ｂが作業台１２の一端１２ｂよりも内側または外側になるように構成しても良い。  
【００４２】
上記の如く、第１、第２実施例にあっては、一端１２ｂから他端１２ｃの間に作業員Ｐが並列して作業可能な作業台１２と、作業台１２の下方に設けられ、作業台１２の裏面１２ｄに搬送面１４ａを対向させると共に、搬送方向Ｂが作業台１２の他端１２ｃから一端１２ｂ（矢印Ａの反対方向）に向かうように構成されるコンベア１４とを備え、コンベア１４は、搬送方向Ｂの上流端１４ｃにおいて作業台１２の他端１２ｃよりも外側に突出する、作業員Ｐによって作業が行われた後の作業完了品（塗装後の部品等３６）が載置される突出部１４ｄを有する如く構成したので、コンベア１４が作業台１２の下方に設置されることとなり、よって横方向のスペースを減少させることができる。
【００４３】
また、コンベア１４で搬送されてきた部品等３６が、作業台１２の一端１２ｂ側、即ち、作業員Ｐの近くに戻るように構成されるので、完成品収容箱２４に収容された部品等３６を取りに行くための作業員Ｐの移動距離を低減でき、作業効率を向上させることができる。
【００４４】
また、コンベア１４は、搬送方向Ｂの上流端１４ｃにおいて作業台１２の他端１２ｃよりも外側に突出する、作業員Ｐによって作業が行われた後の作業完了品（塗装後の部品等３６）が載置される突出部１４ｄを有する如く構成したので、上記した効果に加え、作業台１２に対してコンベア１４の突出部１４ｄに塗装後の部品等３６を一時的に収容することができ、よって作業効率を向上させることができる。
【００４５】
また、コンベア１４の搬送方向Ｂの下流端１４ｂが、作業台１２の一端１２ｂの近傍になるように設置される如く構成したので、上記した効果に加え、コンベア１４で搬送されてきた部品等３６が作業員Ｐのより近くに戻るように構成されるため、完成品収容箱２４に収容された部品等３６を取りに行くための作業員Ｐの移動距離を一層低減でき、それによっても作業効率を向上させることができる。
【００４６】
また、コンベア１４の搬送面１４ａにエアを吹き付けるエア吹付手段（エア吹付装置）２６を備える如く構成したので、上記した効果に加え、塗装した部品等３６をより早く乾燥させることで作業効率を向上させることができると共に、コンベア１４の全長をさらに短くすることも可能なため、一層省スペース化を図ることができる。
【００４７】
１０  作業台装置、１２  作業台、１２ａ  作業面、１２ｂ  作業台の一端、１２ｃ  作業台の他端、１４  コンベア、１４ａ  搬送面、１４ｂ  コンベアの搬送方向の下流端、  １４ｃ  コンベアの搬送方向の上流端、１４ｄ  突出部、２２  塗装前部品収容箱、２４  完成品収容箱、２６  エア吹付装置（エア吹付手段）
【図１】
0005839867.tif 000002
【図２】
0005839867.tif 000003
【図３】
0005839867.tif 000004
【図４】
0005839867.tif 000005
【図５】
0005839867.tif 000006
【図６】
0005839867.tif 000007